(57)【要約】【課題】本発明は、表示装置切り替え時に於ける切り替え処理の状態をユーザが容易に認識できる情報処理装置および表示装置切り替え方法を提供することを課題とする。【解決手段】グラフィックスコントローラ１４は、グラフィック・メモリコントローラハブ１２を介してＣＰＵ１１より表示切り替えの指示コマンドを受けると、外部表示デバイス２００から、当該表示デバイスに設定された、表示切り替えの判定に必要とされる情報を取得し、この取得した情報と、グラフィックスコントローラ１４がもつ表示切り替えの対象となるコンテンツの情報とをもとに、現在の状態下で即時に表示切り替えが可能であるか否かを判断する。【選択図】    図１
2004178410.tif 000002
【特許請求の範囲】
【請求項１】
表示装置と、
外部表示装置との接続インタフェースと、
前記表示装置に表示された画像を前記接続インタフェースを介して接続された前記外部表示装置へ表示させる信号を発生可能な指示手段と、
前記指示手段で発生した信号に応じて前記外部表示装置へ前記画像を表示する際に、前記表示装置に特定の情報を表示する表示制御手段と
を具備したことを特徴とする情報処理装置。
【請求項２】
前記表示制御手段は、前記表示装置に表示された画像を前記外部表示装置に表示する際に、前記外部表示装置から所定の情報を取得する処理を実行し、その処理の結果を上記特定の画面に反映させる処理手段を具備する請求項１記載の情報処理装置。
【請求項３】
前記表示制御手段は、前記表示装置に表示された画像を前記外部表示装置に表示する際に、前記外部表示装置への表示切り替えが可能であるか否かを判定し、その判定結果に従う特定の画面を前記表示装置に表示する請求項１記載の情報処理装置。
【請求項４】
前記表示制御手段は、前記表示装置に表示された画像を前記外部表示装置に表示する際に、表示の対象となるコンテンツ若しくは切り替え先の外部表示装置を対象に、表示切り替えのための認証若しくは確認の手続きを行う請求項１記載の情報処理装置。
【請求項５】
前記処理手段は、前記外部表示装置から所定の情報を取得できたとき、前記取得した情報の内容をもとに、前記外部表示装置への表示切り替えが可能であるか否かを判定する手段を具備する請求項２記載の情報処理装置。
【請求項６】
前記処理手段は、前記外部表示装置から所定の情報を取得できたとき、前記取得した情報の内容をもとに、前記外部表示装置への表示切り替えが可能であるか否かを判定し、表示切り替えが可能であるときは、表示切り替え期間内に予め用意した待ち画面を前記表示装置に表示し、表示切り替えが可能でないときは、その旨を示す情報を前記表示装置に表示する手段を具備する請求項２記載の情報処理装置。
【請求項７】
情報処理装置の表示切り替え方法において、
前記情報処理装置が具備する第１の表示装置に表示中の画像を前記情報処理装置に外部接続される第２の表示装置に表示する際に、前記第２の表示装置へ前記画像が表示される前に、前記第１の表示装置に特定の情報を表示することを特徴とする表示装置切り替え方法。
【請求項８】
情報処理装置の表示切り替え方法において、
前記情報処理装置が具備する第１の表示装置に表示中の画像を前記情報処理装置に外部接続される第２の表示装置に表示する際に、前記第２の表示装置への表示が可能か否か判断し、前記第２の表示装置への表示が出来ないと判断された場合、前記第１の表示装置に特定の情報を表示することを特徴とする表示装置切り替え方法。
【請求項９】
前記第２の表示装置への表示が可能である場合、前記第２の表示装置への表示処理が完了するまで前記第１の表示装置に待ち画像を表示することを特徴とする請求項８記載の表示装置切り替え方法。
【請求項１０】
前記第２の表示装置への表示を行なう際に、表示の対象となるコンテンツ若しくは前記第２の表示装置を対象に、表示切り替えのための認証若しくは確認の手続きを行うことを特徴とする請求項７または８に記載の表示装置切り替え方法。
【請求項１１】
前記第２の表示装置への表示を行なう際に、前記第２の表示装置から所定の情報を取得する処理を実行し、前記第２の表示装置から所定の情報を取得できた場合、前記取得した情報に基づいて、前記第２の表示装置への表示切り替えが可能であるか否かを判定し、表示切り替えが可能である場合、第１の画像を前記第１の表示装置に表示し、表示切り替えが出来ない場合、その旨を示す第２の画像を前記第１の表示装置に表示することを特徴とする請求項７記載の表示装置切り替え方法。
【発明の詳細な説明】
【０００１】
【発明の属する技術分野】
本発明は、外部表示装置の接続インタフェースを備えた情報処理装置および表示装置切り替え方法に関する。
【０００２】
【従来の技術】
コンピュータシステムに於いては、標準装備された表示装置（内部ディスプレイと称す）に表示されている画像を予め特定した外部ディスプレイに切り替えて表示する機能を有している。（例えば、特許文献１参照）。
【０００３】
しかしながら従来のこの種表示装置切り替え機構に於いては、表示切り替え要求に従い、一意に表示切り替えの処理を実行し、また、表示切り替えができない状態では単に上記要求を無効にするのみで、それらの各状態をユーザに通知する手段は有していなかった。
【０００４】
このため、従来では、上記表示切り替え処理が実行中である状態、表示切り替えができない条件下にある状態等をユーザが認識できないという問題があった。特に、コピープロテクト機能を備えた表示コンテンツ（例えばＤＶＤソフト）あるいは表示装置等を対象に、上記表示の切り替えを行う際は、その表示切り替えの可否を判定する処理、表示切り替えが可能な状態での表示情報の取得処理等が必要不可欠となるが、それらの処理に対して上記各状態をユーザに通知することができないという問題があった。
【０００５】
【特許文献１】
特開平１−２４８１８５号公報
【０００６】
【発明が解決しようとする課題】
上述したように従来では、内部ディスプレイに表示されている画像を予め特定した外部ディスプレイに切り替えて表示する際に、その表示切り替え処理が実行中である状態、表示切り替えができない条件下にある状態等をユーザが認識できないという問題があった。
【０００７】
本発明は上記実情に鑑みなされたもので、表示装置切り替え時に於ける切り替え処理の状態をユーザが容易に認識可能な情報処理装置および表示装置切り替え方法を提供することを目的とする。
【０００８】
【課題を解決するための手段】
本発明は、表示装置の切り替え時に、表示切り替え前の表示装置に、待ち画面を表示する処理機能を備えたことを特徴とする。また本発明は表示装置の切り替え状態を映像、若しくは音声、若しくは映像と音声でユーザに通知する処理機能を備えたことをことを特徴とする。
【０００９】
即ち、本発明は、  表示装置と、外部表示装置との接続インタフェースと、前記表示装置に表示された画像を前記接続インタフェースを介して接続された前記外部表示装置へ表示させる信号を発生可能な指示手段と、前記指示手段で発生した信号に応じて前記外部表示装置へ前記画像を表示する際に、前記表示装置に特定の情報を表示する表示制御手段とを具備した情報処理装置を特徴とする。
【００１０】
また本発明は前記情報処理装置に於いて、前記表示制御手段に、前記表示装置に表示された画像を前記外部表示装置に表示する際に、前記外部表示装置から所定の情報を取得する処理を実行し、その処理の結果を上記特定の画面に反映させる処理手段を具備したことを特徴とする。
【００１１】
また本発明は前記情報処理装置に於いて、前記表示制御手段に、前記表示装置に表示された画像を前記外部表示装置に表示する際に、前記外部表示装置への表示切り替えが可能であるか否かを判定し、その判定結果に従う特定の画面を前記表示装置に表示する処理手段を具備したことを特徴とする。
【００１２】
また本発明は前記情報処理装置に於いて、前記表示制御手段に、前記表示装置に表示された画像を前記外部表示装置に表示する際に、表示の対象となるコンテンツ若しくは切り替え先の外部表示装置を対象に、表示切り替えのための認証若しくは確認の手続きを行う処理手段を具備したことを特徴とする。
【００１３】
また本発明は、情報処理装置の表示切り替え方法において、前記情報処理装置が具備する第１の表示装置に表示中の画像を前記情報処理装置に外部接続される第２の表示装置に表示する際に、前記第２の表示装置へ前記画像が表示される前に、前記第１の表示装置に特定の情報を表示することを特徴とする。
【００１４】
また本発明は、情報処理装置の表示切り替え方法において、前記情報処理装置が具備する第１の表示装置に表示中の画像を前記情報処理装置に外部接続される第２の表示装置に表示する際に、前記第２の表示装置への表示が可能か否か判断し、前記第２の表示装置への表示が出来ないと判断された場合、前記第１の表示装置に特定の情報を表示することを特徴とする。
【００１５】
また本発明は、前記表示装置切り替え方法に於いて、前記第２の表示装置への表示が可能である場合、前記第２の表示装置への表示処理が完了するまで前記第１の表示装置に待ち画像を表示することを特徴とする。
【００１６】
また本発明は、前記表示装置切り替え方法に於いて、前記第２の表示装置への表示を行なう際に、表示の対象となるコンテンツ若しくは前記第２の表示装置を対象に、表示切り替えのための認証若しくは確認の手続きを行うことを特徴とする。
【００１７】
また本発明は、前記表示装置切り替え方法に於いて、前記第２の表示装置への表示を行なう際に、前記第２の表示装置から所定の情報を取得する処理を実行し、前記第２の表示装置から所定の情報を取得できた場合、前記取得した情報に基づいて、前記第２の表示装置への表示切り替えが可能であるか否かを判定し、表示切り替えが可能である場合、第１の画像を前記第１の表示装置に表示し、表示切り替えが出来ない場合、その旨を示す第２の画像を前記第１の表示装置に表示することを特徴とする。
【００１８】
上記した本発明の処理機能をもつことで、表示装置切り替え時に於ける切り替え処理の状態をユーザが容易に認識でき、これによって表示装置切り替え時に於けるユーザの誤った操作、重複操作等を回避して使い勝手の向上を図ることができる。
【００１９】
【発明の実施の形態】
以下、図面を参照して本発明の実施形態を説明する。
【００２０】
先ず図１および図２を参照して本発明の実施形態に於ける概要を説明する。ここでは、表示装置（内部表示デバイスと称す）を備えたパーソナルコンピュータのディスプレイ接続端子に外部の表示モニタ（外部表示デバイスと称す）を接続し、内部表示デバイスに表示中の画像を外部表示デバイスに切り替えて表示する場合を例に示している。
【００２１】
図１および図２に於いて、コンピュータ１００に設けられた内部表示デバイス１２１に表示中の画像を外部表示デバイス２００に切り替えて表示する場合、コンピュータ１００の処理装置は、上記表示切り替えに際し、上記外部表示デバイス２００に対して、表示切り替えが可能であるか否かを判定するための情報の取得処理を実行する。ここで上記情報が取得できないときは、予め定められたルールに従い、一意に表示切り替え処理を実行し（図５参照）、若しくはその表示切り替えを禁止する（図６参照）。
【００２２】
また、上記情報が取得できた際は、その取得した情報および表示切り替えの対象となるコンテンツの情報等をもとに表示切り替えが可能であるか否かを判定する。ここで、表示切り替えが可能であれば、表示切り替え処理を実行し、その表示切り替え中に、図１に示すように、表示切り替え前の内部表示デバイス１２１に、予め用意した待ち画面（ＴＰ）を表示する。
【００２３】
また、上記判定に於いて、表示切り替えが可能でなければ、表示切り替え処理を行わず、図２に示すように、内部表示デバイス１２１に、その旨を示す情報（ＤＭ）を表示する。
【００２４】
ここで、上記図１および図２に示す表示切り替え機能をより具現化した本発明の実施形態を図３乃至図６を参照して説明する。
【００２５】
図３は本発明の実施形態に於ける情報処理装置の外観構成を示す斜視図であり、ここでは、ノートブック型のパーソナルコンピュータを例に示している。
【００２６】
この図３に示す、本発明の実施形態によるコンピュータ１００は、コンピュータ本体１１０と、ディスプレイユニット（表示部筐体）１２０とから構成されている。コンピュータ本体１１０には、後述する外部ディスプレイの接続インタフェースを介して、例えばＣＲＴを用いた外部表示デバイス２００が接続される。
【００２７】
ディスプレイユニット１２０には、ＬＣＤを用いた表示装置が内部表示デバイス１２１として組み込まれている。このディスプレイユニット１２０は、コンピュータ本体１１０に対して解放位置と閉塞位置との間を回動自在に取り付けられている。
【００２８】
コンピュータ本体１１０は薄い箱形の筐体を有しており、その筐体上面には、キーボードユニット１１１が配置され、キーボードユニット１１１の手前の筐体部分上面にはアームレストが形成されている。このアームレストのほぼ中央部には、タッチパネル１１２が設けられる。また、キーボード１１１が設けられた筐体部分上面には、表示デバイスの表示切り替えを指示する操作ボタン（以下プレゼンテーションボタンと称す）１１５が設けられる。
【００２９】
図４は上記図３に示したコンピュータのシステム構成を示すブロック図である。このコンピューターシステムはバッテリ駆動可能なノートブックタイプの携帯型パーソナルコンピュータであり、図示するように、ＣＰＵ１１、グラフィック・メモリコントローラハブ１２、メモリ１３、グラフィックスコントローラ１４、ＶＲＡＭ１４１、Ｉ／Ｏハブ１５、ＢＩＯＳ−ＲＯＭ１６、ハードディスクドライブ（ＨＤＤ）１７、サウンドコントローラ１８、エンベッテッドコントローラ（ＥＣ）１９、キーボード２０等を備えている。
【００３０】
グラフィックスコントローラ１４は、ＣＰＵ１１が実行するＯＳの制御の下に、内部表示デバイス（ＬＣＤ）１２１を表示駆動制御するとともに、ＣＲＴ端子１４２、ＤＶＩ端子１４３、ＴＶ（テレビジョン）端子１４４等、各種外部ディスプレイの接続インタフェースを介して接続された外部表示デバイスを表示駆動制御する。
【００３１】
エンベッテッドコントローラ（ＥＣ）１９はプレゼンテーションボタン１１５が押下操作されると、その操作に伴って表示切り替え指示要求をＣＰＵ１１に通知する。
【００３２】
ＣＰＵ１１は、本コンピュータの動作を制御するために設けられたもので、ハードディスクドライブ（ＨＤＤ）１７から主メモリ１３にロードされたオペレーティングシステム（ＯＳ）およびアプリケーションプログラム、ユーティリティプログラム等に従い各種の処理を実行する。この実施形態では、プレゼンテーションボタン１１５の押下操作、若しくはキーボード（ＫＢ）２０上の特定のキー操作、若しくは内部表示デバイス（ＬＣＤ）１２１に表示された特定のアイコン操作等により、エンベッテッドコントローラ（ＥＣ）１９から表示切り替え要求を受けると、ＯＳの制御の下に上記要求に従う表示切り替えの指示コマンドをグラフィックスコントローラ１４に対して発行する。
【００３３】
グラフィックスコントローラ１４は、グラフィック・メモリコントローラハブ１２を介してＣＰＵ１１より表示切り替えの指示コマンドを受けると、図５若しくは図６に示すような表示装置の切り替え処理を実行する。
【００３４】
図５は本発明の第１実施形態に於ける表示装置切り替え処理の手順を示すフローチャートであり、グラフィックスコントローラ１４がＣＰＵ１１より表示切り替えの指示コマンドを受けることにより実行される。
【００３５】
図６は本発明の第２実施形態に於ける表示装置切り替え処理の手順を示すフローチャートであり、上記第１実施形態と同様にグラフィックスコントローラ１４がＣＰＵ１１より表示切り替えの指示コマンドを受けることにより実行される。
【００３６】
ここで、上記各図を参照して本発明の第１、第２実施形態に於ける動作を説明する。
【００３７】
コンピュータ本体１１０には、外部ディスプレイの接続インタフェース（１４２，１４３，１４４）を介して任意の外部表示デバイス２００が接続される。ここでは、外部ディスプレイの接続インタフェース（１４２，１４３，１４４）に接続される各種外部表示デバイス（ＣＲＴディスプレイ、外部ＬＥＤ、テレビジョン）のうち、ＣＲＴディスプレイが外部表示デバイス２００として接続インタフェース１４２を介しコンピュータ本体１１０に接続されているものとする。
【００３８】
本発明の第１実施形態に於ける表示装置切り替え処理は、図５に示すような処理手順で実行される。
【００３９】
ＣＰＵ１１はエンベッテッドコントローラ（ＥＣ）１９から、例えばプレゼンテーションボタン１１５の押下操作に伴う表示切り替え要求を受けると、ＯＳの制御の下に上記要求に従う表示切り替えの指示コマンドをグラフィックスコントローラ１４に対して発行する。
【００４０】
グラフィックスコントローラ１４は、グラフィック・メモリコントローラハブ１２を介してＣＰＵ１１より表示切り替えの指示コマンドを受けると、後述する図５に示すような表示装置の切り替え処理を実行する。
【００４１】
この処理では、先ず外部ディスプレイの接続インタフェース１４２を介して接続された外部表示デバイス２００に対して所定のアクセスを行い、外部表示デバイス２００から、表示切り替えの判定に必要とされる情報の取得が可能であるか否かを判断する（図５ステップＳ１１）。ここで情報取得が可能であると判断した際（図５ステップＳ１１  ＹＥＳ）は、外部表示デバイス２００から、当該表示デバイスに設定された、表示切り替えの判定に必要とされる情報を取得する（図５ステップＳ１２）。この際、取得した情報の具体的な内容については後述する。
【００４２】
そして、この取得した情報、およびグラフィックスコントローラ１４がもつ表示切り替えの対象となるコンテンツの情報等をもとに、その各情報の内容から、現在の状態下で即時に表示切り替えが可能であるか否かを判断する（図５ステップＳ１３）。
【００４３】
ここで、現在の状態下で即時に表示切り替えが可能であるか否かの判断（図５ステップＳ１３）に用いられる情報のうち、外部表示デバイス２００から取得する情報としては、例えば表示デバイスの解像度、リフレッシュレート、接続並びに動作状態、コピープロテクト（コピーガード）機能、所有者情報等を挙げることができ、また、グラフィックスコントローラ１４がもつ情報としては、例えば、ＤＶＤ等のコンテンツ個々がもつ動画再生に於ける各種の管理、規制、制限、制御情報（コピーガード、年齢制限、シーン毎の規制、制御情報等）を挙げることができる。これらの情報をもとに、現在の状態下で即時に表示切り替えが可能であるか否かを判断する。
【００４４】
上記表示切り替えが可能であるか否かの判断（図５ステップＳ１３）で、表示切り替えが可能である際（図５ステップＳ１３  ＹＥＳ）は、メモリ１３（若しくは外部記憶となるＨＤＤ１７）に予め用意した、待ち画面のイメージをＶＲＡＭ１４１上に展開し、内部ディスプレイ１２１に、例えば図１に示すような、待ち画面（ＴＰ）を表示切り替え前の内部ディスプレイ１２１表示して（図５ステップＳ１４）、内部ディスプレイ１２１から外部表示デバイス２００への表示切り替え処理を実行する（図５ステップＳ１６）。
【００４５】
また、現在の状態下で即時に表示切り替えを行うことができないと判断した際（図５ステップＳ１３  ＮＯ）は、例えば図２に示すような、切り替え不可の状態を表す画面若しくはメッセージ情報（ＤＭ）を内部ディスプレイ１２１に表示して（図５ステップＳ１５）、上記要求に従う表示装置切り替え処理を終了する。
【００４６】
また、上記外部表示デバイス２００から表示切り替えの判定に必要とされる情報の取得が可能であるか否かの判断（図５ステップＳ１１）に於いて、情報取得ができないと判断した際（図５ステップＳ１１  ＮＯ）は、一意に内部ディスプレイ１２１から外部表示デバイス２００への表示切り替え処理を実行して（図５ステップＳ１６）、処理を終了する。
【００４７】
本発明の第２実施形態に於ける表示装置切り替え処理は、図６に示すような処理手順で実行される。
【００４８】
この第２実施形態が、上述した図５に処理手順を示す第１実施形態と特に異なる処理は、上記第１実施形態では、上記外部表示デバイス２００から表示切り替えの判定に必要とされる情報の取得が可能であるか否かの判断（図５ステップＳ１１）に於いて、情報取得ができないと判断した際（図５ステップＳ１１  ＮＯ）に、一意に内部ディスプレイ１２１から外部表示デバイス２００への表示切り替え処理を実行（図５ステップＳ１６）していたのに対して、この第２実施形態では、情報取得ができないと判断した際（図６ステップＳ１１  ＮＯ）に、例えば図２に示すような、切り替え不可の状態を表す画面若しくはメッセージ情報（ＤＭ）を内部ディスプレイ１２１に表示して（図６ステップＳ１５）、上記要求に従う表示装置切り替え処理を終了する。これにより、ユーザは表示切り替え要求の操作に対して、その要求が受け付けられない状態、その理由等をその場で把握することができる。
【００４９】
上記した各実施形態では、内部ディスプレイ１２１に、待ち画面（ＴＰ）、若しくは切り替え不可の状態を表す画面若しくはメッセージ情報（ＤＭ）を表示して表示装置切り替え要求に従う処理の状態をユーザに通知しているが、例えば、上記画面による通知に代えて、若しくは上記画面による通知に加えて、音声メッセージで表示装置切り替え要求に従う処理の状態をユーザに通知することも可能である。この際は、ＣＰＵ１１の制御に下に、上記画面の表示タイミングに同期してサウンドコントローラ１８を起動して、上記表示画面に対応する音声メッセージを出力する。
【００５０】
【発明の効果】
以上詳記したように本発明によれば、表示装置切り替え時に於ける切り替え処理の状態をユーザが容易に認識でき、使い勝手の向上を図ることができる。
【図面の簡単な説明】
【図１】本発明の実施形態の概要を説明するための図。
【図２】本発明の実施形態の概要を説明するための図。
【図３】本発明の第１、第２実施形態に於ける情報処理装置の外観構成を示す斜視図。
【図４】本発明の第１、第２実施形態に於けるコンピュータのシステム構成を示すブロック図。
【図５】本発明の第１実施形態に於ける表示装置切り替え処理手順を示すフローチャート。
【図６】本発明の第２実施形態に於ける表示装置切り替え処理手順を示すフローチャート。
【符号の説明】
１１…ＣＰＵ
１２…グラフィック・メモリコントローラハブ
１３…メモリ
１４…グラフィックスコントローラ
１５…Ｉ／Ｏハブ
１６…ＢＩＯＳ−ＲＯＭ
１７…ハードディスクドライブ（ＨＤＤ）
１８…サウンドコントローラ
１９…エンベッテッドコントローラ（ＥＣ）
２０…キーボード
１００…コンピュータ
１１０…コンピュータ本体
１１１…キーボードユニット
１１２…タッチパネル
１１５…操作ボタン（プレゼンテーションボタン）
１２０…ディスプレイユニット（表示部筐体）
１２１…内部表示デバイス（ＬＣＤ）
１４１…ＶＲＡＭ
１４２…ＣＲＴ端子
１４３…ＤＶＩ端子
１４４…ＴＶ（テレビジョン）端子
２００…外部表示デバイス
ＴＰ…待ち画面
ＤＭ…切り替え不可の状態を表す画面若しくはメッセージ情報
【図１】
2004178410.tif 000003
【図２】
2004178410.tif 000004
【図３】
2004178410.tif 000005
【図４】
2004178410.tif 000006
【図５】
2004178410.tif 000007
【図６】
2004178410.tif 000008